(57)【要約】【課題】シートファイルの辺と直交する方向に複数のインデックスタブを一覧可能に表示することに適したシートファイルを提案する。【解決手段】表側シート部２ａ及び裏側シート部２ｂからなる矩形のシートファイル本体２と、このシートファイル本体２の一辺の一部から突出したインデックスタブ８とを具備する。インデックスタブ８は、上記シートファイル本体２の辺４の一部から、シートファイル本体２を含む平面に沿って外方へ突出している。また上記インデックスタブ８を突出方向に直交する仮想直線Ｐで等間隔に分割して得られる複数のセクションの一つをインデックス表示用の表示セクション１０Ａとする。さらにインデックスタブ８のうち表示セクション以外のセクションを、透明セクション１０Ｂとした。【選択図】図１
2014233840.tif 000002
【特許請求の範囲】
【請求項１】
表側シート部(２ａ)及び裏側シート部(２ｂ)からなる矩形のシートファイル本体(２)と、このシートファイル本体(２)の一辺の一部から突出したインデックスタブ(８)とを具備し、さらに次の要件を備えることを特徴とする、インデックスタブ付きシートファイル。
（ａ）インデックスタブ(８)は、上記シートファイル本体(２)の辺(４)の一部から、シートファイル本体(２)を含む平面に沿って当該一辺に直交する方向へ外側に突出したこと
（ｂ）上記インデックスタブ(８)を突出方向に直交する仮想直線(Ｐ)で等間隔に分割して得られる複数のセクションの一つをインデックス表示用の表示セクション(１０Ａ)としたこと
（ｃ）インデックスタブ(８)のうち表示セクション以外のセクションを、透明セクション(１０Ｂ)としたこと
【請求項２】
複数のインデックスタブ付きシートファイルの組み合わせであって、次の要件を具備することを特徴とする、インデックスタブ付きシートファイルの組み合わせ。
（ｄ）１番目のインデックスタブ付きシートファイル(Ｆ１)は、矩形のシートファイル本体(２)の辺(４)の一部からから、シートファイル本体(２)を含む平面に沿ってインデックスタブ(８)を突出しており、そのインデックスタブ(８)全体を、インデックス表示用の単一の表示セクション(１０Ａ)としていること。
（ｅ）残りのインデックスタブ付きシートファイル(Ｆ２〜ＦＮ)は、請求項１に記載のインデックスタブ付きシートファイルであること
（ｆ）それらのインデックスタブ付きシートファイルが有するセクションの最大数がインデックスタブ付きシートファイルの枚数Ｎと同じであること
（ｇ）全てのインデックスタブ付きシートファイルのシートファイル本体(２)は、相互に重ね合せることができるように同形かつ同サイズに形成されていること
（ｈ）全てのインデックスタブ(８)は、上記シートファイル本体(２)の重ね合せ状態で相互に重複するようにシートファイル本体(２)の一辺からの突出箇所を同じとしていること
（ｉ）全てのインデックスタブ(８)のインデックスは、シートファイル本体(２)の重ね順をどのように変更しても、他のインデックスタブ(８)を透視して或いは直接に観ることができるようにシートファイル本体(２)からの順位が異なるセクションに表示されていること
【請求項３】
上述のＮ個のインデックスタブ付きシートファイルを任意に定めた序数ｎ＝１，２…Ｎで表現すると、ｎ番目のインデックスタブ付きシートファイルのインデックスタブは、ｎ×Ｄで表される突出長さを有するとともに巾(Ｄ)であるｎ個のセクションを含み、かつ、各インデックスタブ(８)の突出方向の最も先端側のセクションを、インデックス表示用の表示セクションとしたことを特徴とする、請求項２記載のインデックスタブ付きシートファイルの組み合わせ。
【発明の詳細な説明】
【技術分野】
【０００１】
本発明は、インデックスタブ付きシートファイル及びその組み合わせに関する。
【背景技術】
【０００２】
表側シート部及び裏側シート部の間に紙類を挟むための複数のシートファイルの組み合わせが提案されている。各シートファイルは、左右の側辺の一方から突出するインデックスタブを有する。各シートファイルのインデックスタブの突出箇所は、相互に高さを相違して、それらシートファイルを重ねると、全てのシートファイルのインデックスタブが高さ方向に一覧可能性を保持して見えるように形成されている（特許文献１の第３図参照）。
【０００３】
本明細書において「一覧可能性」とは、見出し機能を有する複数のオブジェクトが一方向に配列（以下「展開」という）されて現れ、全てのオブジェクトを一括して見ることが可能であることをいう。
【先行技術文献】
【特許文献】
【０００４】
【特許文献１】特開平５−１８５７８９
【発明の概要】
【発明が解決しようとする課題】
【０００５】
特許文献１のインデックスタブ付きシートファイルの組み合わせは、高さ方向（側辺に沿った方向）に全てのインデックスが一覧可能に現れるので、資料の整理に大変便利である。しかしながら、その一覧可能性は、側辺に沿った一方向に限られる。［インデックスタブの側辺方向の幅］×［インデックスタブの数］がシートファイルの側辺の長さを超えると、それらのインデックスタブを全て同時に見ることはできない。
【０００６】
本出願人は、この問題を鋭意検討した。そして、従来の如く、インデックスタブの突出位置を調整することで、シートファイルの一辺（インデックスタブ付きの辺）に沿ってインデックスタブを展開する代わりに、各インデックスタブの突出長を調整することで、インデックスタブ付きの辺と直交する方向に複数のインデックスを展開するというアイディアに想い至った。さらに当該辺に沿った方向及びその辺に直交する方向の２方向にインデックスタブを展開すると、インデックスの情報量が格段に増して好適であることも判った。
【０００７】
このインデックスタブの展開方法は、複数のシートファイルを束ねて綴じるような使い方をするときには、それ自体でも十分通用するが、複数のシートファイルをばらばらに束ねるときには、シートファイルの順序が変わることで、全てのインデックスタブを同時に見ることが困難となる場合が想定される。本出願人はこの点をも考慮し、シートファイルの順番が変わってもインデックスタブの一覧性が阻害されない工夫を提案する。
【０００８】
本発明の第１の目的は、シートファイルの辺と直交する方向に複数のインデックスタブを一覧可能に表示することに適したシートファイルを提案することである。
本発明の第２の目的は、シートファイルの辺に沿った方向及び辺に直交する方向に複数のインデックスタブを表示することが可能なシートファイルの組み合わせを提案することである。
本発明の第３の目的は、シートファイルの順番を変更しても一覧可能性を損なわないインデックスタブ付きのシートファイルを提供することである。
【課題を解決するための手段】
【０００９】
第１の手段は、インデックスタブ付きシートファイルであり、
表側シート部２ａ及び裏側シート部２ｂからなる矩形のシートファイル本体２と、このシートファイル本体２の一辺の一部から突出したインデックスタブ８とを具備し、さらに次の要件を備えることを特徴とする。
（ａ）インデックスタブ８は、上記シートファイル本体２の辺４の一部から、シートファイル本体２を含む平面に沿って当該一辺に直交する方向へ外側に突出したこと
（ｂ）上記インデックスタブ８を突出方向に直交する仮想直線Ｐで等間隔に分割して得られる複数のセクションの一つをインデックス表示用の表示セクション１０Ａとしたこと
（ｃ）インデックスタブ８のうち表示セクション以外のセクションを、透明セクション１０Ｂとしたこと
【００１０】
本手段では、図４に示すように、シートファイル本体２の一辺に直交する方向へインデックスタブ８を外方突出させている。そして突出方向に等分割したインデックスタブの一部を表示セクション１０Ａとし、残りの部分を透明セクション１０Ｂとしている。
【００１１】
第２の手段は、
複数のインデックスタブ付きシートファイルの組み合わせであって、次の要件を具備することを特徴とする。
（ｄ）１番目のインデックスタブ付きシートファイルＦ１は、矩形のシートファイル本体２の辺４の一部からから、シートファイル本体２を含む平面に沿ってインデックスタブ８を突出しており、そのインデックスタブ８全体を、インデックス表示用の単一の表示セクション１０Ａとしていること。
（ｅ）残りのインデックスタブ付きシートファイルＦ２〜ＦＮは、第１の手段に記載のインデックスタブ付きシートファイルであること
（ｆ）それらのインデックスタブ付きシートファイルが有するセクションの最大数がインデックスタブ付きシートファイルの枚数Ｎと同じであること
（ｇ）全てのインデックスタブ付きシートファイルのシートファイル本体２は、相互に重ね合せることができるように同形かつ同サイズに形成されていること
（ｈ）全てのインデックスタブ８は、上記シートファイル本体２の重ね合せ状態で相互に重複するようにシートファイル本体２の一辺からの突出箇所を同じとしていること
（ｉ）全てのインデックスタブ８のインデックスは、シートファイル本体２の重ね順をどのように変更しても、他のインデックスタブ８を透視して或いは直接に観ることができるようにシートファイル本体２からの順位が異なるセクションに表示されていること
【００１２】
本手段では、最も判り易いように相互に横方向にずらして描いた図３に示す如く、シートファイルＦ１〜ＦＮ（図示例ではＮ＝４）の組み合わせを提案している。上記構成によれば、例えば図１の如き配列から図１０の如き配列へシートファイルの順番をランダムに入れ替えても各シートファイルの表示セクション１０Ａが前側の他のシートファイルの透明セクション１０Ｂを透かして看ることができる。具体的には後述する。
【００１３】
第３の手段は、第２の手段を有し、
上述のＮ個のインデックスタブ付きシートファイルを任意に定めた序数ｎ＝１，２…Ｎで表現すると、ｎ番目のインデックスタブ付きシートファイルのインデックスタブは、ｎ×Ｄで表される突出長さを有するとともに巾Ｄであるｎ個のセクションを含み、かつ、各インデックスタブ８の突出方向の最も先端側のセクションを、インデックス表示用の表示セクションとしている。
【発明の効果】
【００１４】
第１の手段に係る発明によれば、シートファイル本体２から突出したインデックスタブ８は、突出方向の一部をインデックス表示用の表示セクション１０Ａを形成するようにしたから、その突出方向、すなわちシートファイル本体の辺と直角な方向にインデックスを展開できる。
第２の手段に係る発明によれば、インデックスタブの突出方向の一部をインデックスを表示するセクションとし、残りを透明セクションとしたから、インデックスタブ付きシートファイルの重ね順をどのように変更しても全てのインデックスタブのインデックスを見ることができる。
第３の手段に係る発明によれば、インデックスタブ８の突出方向の最も外側のセクションにインデックスを表示したから、インデックスタブを形成する材料を最小とすることができる。
【図面の簡単な説明】
【００１５】
【図１】本発明の第１実施形態に係るインデックスタブ付きシートファイルの組み合わせを、完全に重ね合せた状態で示す正面図である。
【図２】図１のインデックスタブ付きシートファイルの組み合わせの側面図である。
【図３】図１のインデックスタブ付きシートファイルの組み合わせを、横方向にずらして重ね合せた状態で示す正面図である。
【図４】図１の組み合わせに含まれるシートファイルのうちインデックスタブを４等分したうちの一区画が表示セクションであるタイプ（Ｆ４）の正面図である。
【図５】図４インデックスタブ付きシートファイルの側面図である。
【図６】図１の組み合わせに含まれるシートファイルのうちインデックスタブを３等分したうちの一区画が表示セクションであるタイプ（Ｆ３）の正面図である。
【図７】図１の組み合わせに含まれるシートファイルのうちインデックスタブを２等分したうちの一区画が表示セクションであるタイプ（Ｆ２）の正面図である。
【図８】図１の組み合わせに含まれるシートファイルのうちインデックスタブ全体が表示セクションであるタイプ（Ｆ１）の正面図である。
【図９】図１のインデックスタブ付きシートファイルの組み合わせを、ランダムにずらして重ね合せた状態で示す正面図である。
【図１０】図１のインデックスタブ付きシートファイルの組み合わせを、順番を入れ替えて完全に重ね合せた状態で示す正面図である。
【図１１】本発明の第２実施形態に係るものであり、図１のインデックスタブ付きシートファイルの組み合わせと、インデックスタブの突出箇所を変更した別のインデックスタブ付きシートファイルの組み合わせとを、完全に重ね合せた状態で示す正面図である。
【図１２】本発明の第３実施形態に係るインデックスタブの正面図である。
【図１３】本発明の第４実施形態に係るインデックスタブの構成を示す図であり、同図（Ａ）はこのインデックスタブの正面図を、同図（Ｂ）はインデックスタブの側面図をそれぞれ示している。
【図１４】図１３のインデックスタブをシートファイルに適用した状態を正面方向から示す図である。
【図１５】図１３のインデックスタブをシートファイルに適用した状態を側面方向から示す図である。
【発明を実施するための最良の形態】
【００１６】
図１から図１０は、本発明の第１の実施形態に係るインデックスタブ付きシートファイルの組み合わせを示している。
【００１７】
まず図４及び図５を用いて一つのタイプ（Ｆ４）のインデックスタブ付きシートファイルを説明する。このインデックスタブ付きシートファイルは、シートファイル本体２と、インデックスタブ８とで構成される。
【００１８】
上記シートファイル本体２は、好ましくは矩形の表側シート部２ａと裏側シート部２ｂとからなり、隣り合う一対の辺を閉塞辺部４ｃとし、残りの２辺を開放辺部４ｏとしている。図示のシートファイル本体２は、左右両側辺を長辺４Ｌ、上下両辺を短辺４Ｓとする縦長の形状であり、表側シート部２ａ及び裏側シート部２ｂは同一形状・同一寸法であるが、その形態は適宜変更することができる。図示例では、表側シート部２ａ及び裏側シート部２ｂを一枚のシート材から形成しており、側方の閉塞辺部４ｃは折り曲げにより形成し、下側の閉塞辺部４ｃは接合部６で連結している。シートファイル本体２は、例えば合成樹脂材で形成することができる。
【００１９】
上記インデックスタブ８は、表側シート部２ａ及び裏側シート部２ｂのうちの一方（図示例では表側シート部）から、上記開放辺部４ｏの一部より、この辺に直交する方向へ外方突出している。インデックスタブ８の形状は、好適な図示例では矩形であるが、或る程度の突出長さを確保できればどのような形でも構わない。本実施形態において、インデックスタブ８は、シートファイル本体２と連続成形されているが、本発明の技術的範囲としてシートファイル本体２とインデックスタブ８とが別体として形成され、インデックスタブ８をシートファイル本体２に接着可能とする態様も含まれる。この態様とするときには、図面に現れたインデックスタブ８を、タブ部として、シートファイル本体２と別途形成し、かつ当該タブ部の下端側と連続して連結片（連結部）を設ければよい。その具体例に関しては後述する。
【００２０】
上記インデックスタブ８を、その突出方向に直交する、図５に想像線で表した仮想直線Ｐを境界線として、複数個（図示例では４つ）に等分割し、それら区画のうち最も外方に位置する区画を、表示セクション１０Ａとし、残りの区画を透明セクション１０Ｂとする。
【００２１】
そして上記表示セクション１０Ａは、予め表示すべき文字・記号などを印刷するか、或いは利用者による書き込みが可能な構造とする。表示セクション１０Ａは、書き込み可能な透明領域としてもよいが、透明セクション１０Ｂとの区別を明確にするために、書き込み可能な不透明領域とすることが望ましい。例えば書き込み可能で不透明なプラスチック製或いは紙製のラベルを、インデックスタブ８の当該区画に貼り付けてもよい。なお、図面では、表示セクション１０Ａに記載する書き込みの内容の例示として、“Ａ−１”、“Ａ−２”、“Ａ−３”、“Ａ−４”などと表示している。これらの表示は、説明の便宜上、各表示をしたインデックスタブ８を相互に識別するために用いることがある。
【００２２】
なお、本明細書において、“インデックスタブを等分割して”という表現は、インデックスタブを想像線で等分割して得られる区画の大きさ・位置を特定するために用いており、分割するために特別の構造、例えば想像線の位置に区分線を印刷するなどとすることを要しない。もっとも表示セクション用のラベルの貼付を容易にするために区画線を設けることを妨げない。
【００２３】
インデックスタブ８を４等分したタイプのシートファイルＦ４の他に、図６の如くインデックスタブ８を３等分したタイプのシートファイルＦ３、図７の如くインデックスタブ８を２等分したタイプのシートファイルＦ２、インデックスタブ８全体を表示セクション用の一区画としたタイプのシートファイルＦ１をそれぞれ形成する。全てのタイプにおいて突出長方向（図示例では上下方向）のインデックスタブ８の幅は同じである。一また各シートファイルにおいてインデックスタブの突出位置も同じである。
【００２４】
上記の開示内容を一般化すると、本発明のシートファイルの組み合わせにおいて、最も大きいインデックスタブ８の分割数を序数Ｎで表すと、この組み合わせには、Ｎ個のシートファイルが含まれる。より詳しくは、インデックスタブ８全体が一つの表示セクションである一つのシートファイルと、２〜Ｎの範囲でインデックスタブを分割したうちの一区画を表示セクションとする、（Ｎ−１）個のシートファイルとを含む。図３に示す如く配列したシートファイルのインデックスタブ８の突出長さは、これらシートファイルの順番ｎ（但しｎは１以上、Ｎ以下の整数）に応じて等歩的に増大する。この構成により、全てのシートファイルのシートファイル本体２を、図１のように完全に重ね合わせると、全てのシートファイルのインデックスタブ８を直接目視できる。なお、このときの各インデックスタブ８の手前からの順序は、Ａ−１→Ａ−２→Ａ−３→Ａ−４である。
【００２５】
この重ね合わせ状態から、一部のシートファイル（表示セクションにＡ−１及びＡ−３と書き込みしたシートファイル）を引き出し、収納物を入れたり、或いは取り出したりして、使用した後に、重なり状態の元のシートファイルの束の後側へまとめて戻すと、各インデックスタブ８の手前からの順序はＡ−２→Ａ−４→Ａ−１→Ａ−３となる。このときにＡ−１のインデックスタブ８は、Ａ−２のインデックスタブ８及びＡ−４のインデックスタブ８の後にあるが、前者の表示セクション１０Ａは、図１０に点線で表す如く、後者の透明セクション１０Ｂを透かして看ることができる。同様にＡ−３のインデックスタブ８は、Ａ−４のインデックスタブ８の後にあるが、前者の表示セクション１０Ａは後者の透明セクション１０Ｂを透かして看ることができる。
【００２６】
このように本発明の構成では、シートファイル本体の辺に直交する方向にインデックスタブ８を展開したから一覧可能性が向上するとともに、シートファイルの順番をどのように入れ替えても、全てのインデックスタブ８を一覧することができ、利便性が高まる。
【００２７】
なお、図示例では、Ｎ個のシートファイルの突出長の長さが任意に定めた順番ｎに応じて等歩的に変わるように、そして、当該長さをｎ等分して得られる区画のうち最も外側の区画に表示セクション１０Ａを設けている。しかし、この構成に代えて、Ｎ個のシートファイルの組み合わせにおいて、インデックスタブ８の突出長を全て同じとし、それらの突出長を同数Ｎで等分割し、各インデックスタブ８毎に、等分割された区画のうちシートファイル本体２側からの順番の異なる区画に表示セクションを設けてもよい。表示セクション１０Ａ以外の区画は全て透明セクション１０Ｂとする。こうした実施の態様も本発明の技術的範囲に包含される。
【００２８】
図１１は、本発明の第２実施形態に係るインデックスタブ付きシートファイルの組み合わせであり、第１実施形態のシートファイルの組み合わせとほぼ同内容のものを、インデックスタブ８の突出位置だけを替えて追加したものである。辺と直交方向に展開するインデックスタブ８のグループが、その辺のほぼ全長に亘って形成されている。この実施形態は本発明の最終的な形態であり、最もたくさんの情報を一覧可能な形で表示することができる。
【００２９】
図１２は、本発明の第３実施形態に係るインデックスタブ付きシートファイル用のインデックスタブ８を示している。本実施形態では、インデックスタブ８を、シートファイル本体２とは別体として形成したものである。具体的には、第１実施形態に開示されたインデックスタブ８の透明セクション１０Ｂに連続させて、接着部１１付きの連結セクション１０Ｃを設け、この接着部１１でインデックスタブ全体を保持できるように形成したものである。上記接着部１１は連結セクション１０Ｃの表側又は裏側に形成する。
【００３０】
図１３から図１５は、本発明の第４実施形態に係るインデックスタブ付きシートファイルを示している。本実施形態は、第３実施形態の変形例であり、上記連結セクションと隣接する箇所に逆Ｕ字形の切割り１４を設けるとともに、この切割り２の両端部を結ぶ直線状の折目線１６を形成し、切割り２と折目線とで囲われる部分を、下方への折り返し可能な折り返し片１２を形成している。
【００３１】
本実施形態のインデックスタブ８をシートファイル本体に適用するときには、図１３に示すフラットな状態から上記折り返し片１２を下方へ折り返す。そして図１４及び図１５に示すように折り返し片１２を下方へ折り返す。そしてシート状ファイル本体４の上端部を折目線１６の近傍に突き当てる。そうすることでシートファイル本体２に対してインデックスタブ８を位置決めすることができる。
【符号の説明】
【００３２】
２…シートファイル本体  ２ａ…表側シート部  ２ｂ…裏側シート部
４…辺  ４Ｌ…長辺  ４Ｓ…短辺  ４ｃ…閉塞辺部  ４ｏ…開放辺部
６…接合部
８…インデックスタブ  １０Ａ…表示セクション  １０Ｂ…透明セクション
１０Ｃ…連結セクション
１１…接着部  １２…折り返し片  １４…切割り  １６…折曲げ線
Ｄ…幅  Ｆ１〜ＦＮ…シートファイル  Ｐ…仮想直線  
Ｎ…インデックスタブの数  ｎ…序数
【図１】
2014233840.tif 000003
【図２】
2014233840.tif 000004
【図３】
2014233840.tif 000005
【図４】
2014233840.tif 000006
【図５】
2014233840.tif 000007
【図６】
2014233840.tif 000008
【図７】
2014233840.tif 000009
【図８】
2014233840.tif 000010
【図９】
2014233840.tif 000011
【図１０】
2014233840.tif 000012
【図１１】
2014233840.tif 000013
【図１２】
2014233840.tif 000014
【図１３】
2014233840.tif 000015
【図１４】
2014233840.tif 000016
【図１５】
2014233840.tif 000017